(57)【要約】【課題】システム全体およびメンテナンスのコストを下げることができるビデオ制御システム、ビデオシステム制御装置およびそのビデオ制御方法を提供すること。【解決手段】ビデオ制御システムにおけるすべての信号処理を行うビデオシステム制御装置と、それぞれ独立したアドレス１ＡからＭ×Ｎを有する１個以上のインテリジェント表示装置により構成された表示装置アセンブリとを備える。前記ビデオシステム制御装置は、１個以上のビデオブリッジと、ビデオ分配器と、組込マイクロプロセッサモジュールと、記憶装置とを含むビデオブリッジ装置を備える。前記ビデオ制御方法は、ビデオ入力をビデオブリッジ装置におけるビデオブリッジに転送し、ビデオ入力をビデオ分配器の要求に適合するビデオフォーマットに転換し、ビデオ分配器に出力するステップと、ビデオ分配器がビデオ信号を受信し、ビデオ出力ストリームを表示装置アセンブリに出力するステップとを含む。【選択図】図１
2009271535.tif 000002
【特許請求の範囲】
【請求項１】
マルチメディア表示環境の表示装置アセンブリに応用するビデオ制御システムにおいて、
該ビデオ制御システムにおけるすべての信号処理を行うビデオシステム制御装置と、
それぞれ独立したアドレス１ＡからＭ×Ｎを有する１個以上のインテリジェント表示装置により構成された表示装置アセンブリと、
を備えることを特徴とするビデオ制御システム。
【請求項２】
前記表示装置アセンブリと該ビデオシステム制御装置との間の接続は、該インテリジェント表示装置の数と等しいビデオ出力ストリームおよび該インテリジェント表示装置の数と等しいディスプレイデータチャンネルまたは単一のシリアル通信インターフェースにより構成されることを特徴とする請求項１に記載のビデオ制御システム。
【請求項３】
前記インテリジェント表示装置は、いずれも該ビデオシステム制御装置からの、そのうちの１つのビデオ出力ストリーム信号およびそのうちの１つのディスプレイデータチャンネル信号にそれぞれ接続し、Ｍ×Ｎ個まで拡張することができることを特徴とする請求項１に記載のビデオ制御システム。
【請求項４】
前記インテリジェント表示装置は、いずれも該ビデオシステム制御装置からの、そのうち１つのビデオ出力ストリーム信号にそれぞれ接続するだけでなく、該ビデオシステム制御装置からのシリアル通信インターフェース信号にもシリアル接続方式で共同接続することを特徴とする請求項２に記載のビデオ制御システム。
【請求項５】
入力されたビデオ入力をビデオ分配器の要求に適合するビデオフォーマットに転換可能で、転換後のビデオ信号を出力可能な１個以上のビデオブリッジを含むビデオブリッジ装置と、
該ビデオブリッジ装置および／または組込マイクロプロセッサモジュールからの１個以上のビデオ信号を受信し、該１個以上のビデオ信号を選んで出力し、１個以上のビデオ出力ストリームを表示装置アセンブリに出力可能であり、これによって表示装置アセンブリの１個以上のインテリジェント表示装置を駆動するビデオ分配器と、
マイクロプロセッサ制御バスにより、ビデオ分配器およびディスプレイデータチャンネルコントローラを制御し、ヒューマンインターフェース入力を受信可能で、ビデオ信号をビデオ分配器に転送可能であり、ビデオ分配器の分配メカニズムを動的に即時制御でき、表示装置アセンブリの各インテリジェント表示装置のために、ディスプレイデータチャンネルコントローラのディスプレイデータチャンネルを動的に指定することにより、インテリジェント表示装置の各表示フレームをリアルタイム方式で調整する組込マイクロプロセッサモジュールと、
ビデオ分配器が出力する１個以上のビデオ信号ストリームを、該ディスプレイデータチャンネルコントローラが、ディスプレイデータに付随させ、表示装置アセンブリの各インテリジェント表示装置にそれぞれ転送させる、または表示装置アドレス指示を含むシリアル通信インターフェース信号を表示装置アセンブリの各インテリジェント表示装置にシリアル接続させることが可能なディスプレイデータチャンネル／シリアル通信インターフェースと、
をさらに備えることを特徴とする請求項４に記載のビデオ制御システム。
【請求項６】
前記ビデオブリッジは、同じビデオブリッジ機能を有するか、または各自それ自身の特定のビデオブリッジ機能を有することを特徴とする請求項５に記載のビデオ制御システム。
【請求項７】
マルチメディア表示環境の表示装置に応用するビデオシステム制御装置において、ビデオブリッジ装置を備え、該ビデオブリッジ装置は、
入力されたビデオ入力信号をビデオ分配器の要求に適合するビデオフォーマットに転換し、転換後のビデオ信号を出力可能な１個以上のビデオブリッジと、
該ビデオブリッジ装置および／または組込マイクロプロセッサモジュールからの１個以上のビデオ信号を受信し、該１個以上のビデオ信号を選んで出力し、１個以上のビデオ出力ストリームを表示装置アセンブリに出力可能であり、これによって該表示装置アセンブリの１個以上のインテリジェント表示装置を駆動するビデオ分配器と、
マイクロプロセッサ制御バスにより、ビデオ分配器およびディスプレイデータチャンネルコントローラを制御し、ヒューマンインターフェース入力を受信可能で、ビデオ信号をビデオ分配器に転送可能であり、ビデオ分配器の分配メカニズムを動的に即時制御でき、表示装置アセンブリの各インテリジェント表示装置のために、ディスプレイデータチャンネルコントローラのディスプレイデータチャンネルを動的に指定することにより、インテリジェント表示装置の各表示フレームをリアルタイム方式で調整する組込マイクロプロセッサモジュールと、
ビデオ分配器が出力する１個以上のビデオ信号ストリームを、該ディスプレイデータチャンネルコントローラが、ディスプレイデータに付随させ、表示装置アセンブリの各インテリジェント表示装置にそれぞれ転送させる、または表示装置アドレス指示を含むシリアル通信インターフェース信号を表示装置アセンブリの各インテリジェント表示装置にシリアル接続させることが可能なディスプレイデータチャンネル／シリアル通信インターフェースと、
各種音声映像またはマルチメディアファイルを格納し、組込マイクロプロセッサモジュールで読取および転換フォーマットを選択し、ビデオ分配器に出力する記憶装置と、
を含むことを特徴とするビデオシステム制御装置。
【請求項８】
前記ディスプレイデータチャンネルコントローラ／シリアル通信インターフェースは、該ビデオ分配器が出力するマトリクス式ビデオ出力ストリームも、ディスプレイデータまたはシリアル通信インターフェース信号に付随させることができることを特徴とする請求項７に記載のビデオシステム制御装置。
【請求項９】
前記表示装置アセンブリは、それぞれ独立したアドレス１ＡからＭ×Ｎを有する１個以上のインテリジェント表示装置により構成されることを特徴とする請求項７に記載のビデオシステム制御装置。
【請求項１０】
前記インテリジェント表示装置のアセンブリ配列は、表示装置アセンブリを形成し、入力されたビデオ信号ストリームを受信するだけでなく、ディスプレイデータチャンネル／シリアル通信インターフェース信号を受信して、その表示フレームを調整することを特徴とする請求項９に記載のビデオシステム制御装置。
【請求項１１】
前記ビデオブリッジは、同じビデオブリッジ機能を有するか、または各自それ自身の特定のビデオブリッジ機能を有することを特徴とする請求項７に記載のビデオシステム制御装置。
【請求項１２】
マルチメディア表示環境の表示装置アセンブリに応用するビデオ制御方法において、
ビデオ入力信号をビデオブリッジ装置におけるビデオブリッジに転送し、前記ビデオブリッジが前記ビデオ入力信号をビデオ分配器の要求に適合するビデオフォーマットに転換し、転換後のビデオ信号を前記ビデオ分配器に出力するステップと、
ビデオ分配器が前記ビデオ信号を受信し、ビデオ信号を選んで出力し、１個以上のビデオ出力ストリームを前記表示装置アセンブリに出力するステップと、
を含むことを特徴とするビデオ制御方法。
【請求項１３】
前記ビデオブリッジは、同じビデオブリッジ機能を有するか、または各自それ自身の特定のビデオブリッジ機能を有することを特徴とする請求項１２に記載のビデオ制御方法。
【請求項１４】
マルチメディア表示環境の表示装置アセンブリに応用するビデオ制御方法において、
ビデオ入力信号をビデオブリッジ装置におけるビデオブリッジに転送し、前記ビデオブリッジが前記ビデオ入力信号をビデオ分配器の要求に適合するビデオフォーマットに転換し、転換後のビデオ信号を前記ビデオ分配器に出力するステップと、
ビデオ分配器が前記ビデオブリッジ装置および組込マイクロプロセッサモジュールからの１個以上のビデオ信号を受信して出力し、１個以上のビデオ出力ストリームを該表示装置アセンブリに出力するステップと、
を含むことを特徴とするビデオ制御方法。
【請求項１５】
前記ビデオブリッジは、同じビデオブリッジ機能を有するか、または各自それ自身の特定のビデオブリッジ機能を有することを特徴とする請求項１４に記載のビデオ制御方法。
【請求項１６】
マルチメディア表示環境の表示装置アセンブリに応用するビデオ制御方法において、
ビデオ入力信号を個別の関連するビデオブリッジ装置におけるビデオブリッジに転送し、個別の関連するビデオブリッジがビデオ入力信号をビデオ分配器の要求に適合するビデオフォーマットに転換し、前記ビデオブリッジ装置が転換後のビデオ信号を該ビデオ分配器に出力するステップと、
ビデオ分配器の複数のビデオ入力ポートを、ビデオブリッジ装置および組込マイクロプロセッサモジュールからの１個以上のビデオ信号の受信に用い、ビデオ分配器が１個以上のビデオ出力ストリームを前記表示装置アセンブリに出力するステップと、
組込マイクロプロセッサモジュールが、ビデオ分配器の分配メカニズムと表示装置アセンブリの各インテリジェント表示装置を動的に即時制御し、ディスプレイデータチャンネル／シリアル通信インターフェースのディスプレイデータチャンネル／シリアル通信インターフェース信号を動的に指定するこちょにより、インテリジェント表示装置の各表示フレームをリアルタイム方式に調整するステップと、
を含むことを特徴とするビデオ制御方法。
【請求項１７】
前記ディスプレイデータチャンネルコントローラおよびシリアル通信インターフェースは、前記ビデオ分配器が出力するマトリクス型ビデオ出力ストリームを、ディスプレイデータまたはシリアル通信インターフェース信号に付随させることができること特徴とする請求項１６に記載のビデオ制御方法。
【請求項１８】
前記ビデオブリッジは、同じビデオブリッジ機能を有するか、または各自それ自身の特定のビデオブリッジ機能を有すること特徴とする請求項１７に記載のビデオ制御方法。
【発明の詳細な説明】
【技術分野】
【０００１】
本発明は、ビデオシステムに関し、特にビデオ制御システム、ビデオシステム制御装置およびそのビデオ制御方法に関する。本発明は、マルチメディア表示環境の表示装置アセンブリに応用する。本発明で開示するビデオ制御システムのビデオシステム制御装置の組込制御のビデオブリッジ装置を利用して、ビデオ分配器とビデオ供給方式を調整する。さらに、数個のディスプレイデータチャンネルＤＤＣ（Ｄｉｓｐｌａｙ  Ｄａｔａ  Ｃｈａｎｎｅｌ）を介してそれぞれ接続するか、またはシリアル通信インターフェースＳＣＩ（Ｓｅｒｉａｌ  Ｃｏｍｍｕｎｉｃａｔｉｏｎ  Ｉｎｔｅｒｆａｃｅ）とシリアル接続する。その画面表示領域で、数個のインテリジェント表示装置を選び、調整し、制御することができる。多元なソースの配列ビデオコンテントを個別に分割および／または全体的に統合し、表示装置アセンブリの個別の表示装置の表示画面に柔軟に表示することができる。さらに、マトリクス式アセンブリの数個の表示装置からなるビデオウォールの個別の表示装置の表示画面として応用することができる。
【背景技術】
【０００２】
従来の表示装置アセンブリは、例えばビデオウォールのように、マトリクス式アセンブリからなる数個の表示装置（ｄｉｓｐｌａｙ  ｄｅｖｉｃｅ）である。一般に、昨今の従来の公知技術でビデオウォールシステム装置（ｖｉｄｅｏ  ｗａｌｌ  ｓｙｓｔｅｍ  ｄｅｖｉｃｅ）を利用するには、表示装置アセンブリのすべての入力ビデオを受信し、アセンブリ画面の個別の表示画面の必要に応じて、得られたすべての表示装置の個別のビデオコンテント（ｖｉｄｅｏ  ｃｏｎｔｅｎｔ）を先ず処理した後、対応する個別の表示装置に適切なフォーマットで転送して画面表示する必要がある。このある表示画面は、ビデオウォール全体に表示されるあるインテリジェント表示装置（ｄｉｓｐｌａｙ  ｅｌｅｍｅｎｔ）に属し、ビデオウォールにおけるすべてのインテリジェント表示装置の部分を集合して完全なビデオウォールの全体の表示画面をなす。
【０００３】
前記の従来の公知のビデオウォール表示技術において、ビデオウォールシステムは、通常、ビデオウォールサーバ（ｖｉｄｅｏ  ｗａｌｌ  ｓｅｒｖｅｒ）と呼ばれる膨大で複雑なハイエンドビデオサーバ（ｈｉｇｈ  ｅｎｄ  ｖｉｄｅｏ  ｓｅｒｖｅｒ）を必要とする。中央集中制御処理方式であり、非常に膨大なコストがなければ達成することができないが、用いられる表示装置は普通の表示装置（ｏｒｄｉｎａｒｙ  ｄｉｓｐｌａｙ  ｄｅｖｉｃｅ）である。また、以前のビデオウォール表示技術は、複数のビデオ入力信号源を同時に処理することが容易でないため、処理後のビデオコンテントを分割し、分割後の個別のビデオコンテントをビデオウォールにおける対応する固定表示装置に表示する。こうしたビデオ入力、およびビデオコンテントの分割方式は、ビデオウォール処理システムの処理能力およびビデオウォールの表示能力を大幅に低下させる。
【０００４】
このことから分かるように、前記の従来の表示装置アセンブリは、製品構造、制御方法および使用上において、不便さと欠陥が明らかに存在しており、さらに改善が必要とされている。前記の存在する問題を解決するため、関連業者は思考力の限りを尽くして解決策を探しているが、長期にわたり、適した設計の開発が完了していない。一般の製品および方法にも、前記問題を解決可能な適切な構造および方法がなく、関連業者が解決を急ぐ課題となっている。そのため、新しいビデオ制御システム、ビデオシステム制御装置およびそのビデオ制御方法を考案し、分散式制御処理の方式を用いて表示装置アセンブリ用の新しいビデオ制御システムおよび方法を探し出すことが、近年の重要な研究開発の課題の１つとなっており、業界における改善目標となっている。
【０００５】
前記の従来の表示装置アセンブリに存在する欠陥に鑑み、本発明者は、こうした製品の設計製造に従事した長年にわたる豊富な実務経験および専門知識に基づき、学理の運用と組み合わせ、積極的に研究開発を行い、一般の従来の表示装置アセンブリを改善し、さらに実用性をもたせた新しいビデオ制御システム、ビデオシステム制御装置およびそのビデオ制御方法を考案した。鋭意研究、設計を行い、サンプルを何度も試作し、改善した後、終に実用的な価値を有する本発明を発明した。
【発明の概要】
【発明が解決しようとする課題】
【０００６】
（１）本発明の主な目的は、従来の表示装置アセンブリに存在する欠陥を克服し、マルチメディア表示環境の表示装置アセンブリに応用し、本発明のビデオ制御システムのビデオシステム制御装置の組込制御のビデオブリッジ装置を利用して、ビデオ分配器のビデオ供給と方式を調整し、さらに数個のディスプレイデータチャンネルＤＤＣ（Ｄｉｓｐｌａｙ  Ｄａｔａ  Ｃｈａｎｎｅｌ）を介してそれぞれ接続するか、またはシリアル通信インターフェースＳＣＩ（Ｓｅｒｉａｌ  Ｃｏｍｍｕｎｉｃａｔｉｏｎ  Ｉｎｔｅｒｆａｃｅ）とシリアル接続する新しいビデオ制御システム、ビデオシステム制御装置およびそのビデオ制御方法を提供することである。その画面表示領域で、選び、調整し制御する数個のインテリジェント表示装置を提供することができる。多元なソースの配列ビデオコンテントを個別に分割および／または全体的に統合し、例えば、マトリクス式アセンブリの数個の表示装置からなるビデオウォールの個別の表示装置の表示画面など、表示装置アセンブリの個別の表示装置の表示画面に柔軟に表示することができ、非常に実用に適している。
【０００７】
（２）本発明の次の目的は、マルチメディア表示環境の表示装置アセンブリに応用し、本発明のビデオ制御システムのビデオシステム制御装置の組込制御のビデオブリッジ装置と、ビデオ分配器のビデオ供給方式、および数個のディスプレイデータチャンネルＤＤＣ（Ｄｉｓｐｌａｙ  Ｄａｔａ  Ｃｈａｎｎｅｌ）でそれぞれ接続するか、またはシリアル通信インターフェースＳＣＩ（Ｓｅｒｉａｌ  Ｃｏｍｍｕｎｉｃａｔｉｏｎ  Ｉｎｔｅｒｆａｃｅ）とシリアル接続した画面表示領域を利用して、選び、調整し制御する数個のインテリジェント表示装置を提供可能である新しいビデオ制御システム、ビデオシステム制御装置およびそのビデオ制御方法を提供することである。本発明のビデオ制御方法を介して、表示装置アセンブリにさらに柔軟性と効率をもたせ、システム全体の装置とメンテナンスのコストを下げることができる。
【０００８】
（３）本発明のもう１つの目的は、画面表示領域を数個のディスプレイデータチャンネルＤＤＣ（Ｄｉｓｐｌａｙ  Ｄａｔａ  Ｃｈａｎｎｅｌ）でそれぞれ接続するか、またはシリアル通信インターフェースＳＣＩ（Ｓｅｒｉａｌ  Ｃｏｍｍｕｎｉｃａｔｉｏｎ  Ｉｎｔｅｒｆａｃｅ）でシリアル接続し、選び、調整し制御する数個のインテリジェント表示装置を提供可能な新しいビデオ制御システム、ビデオシステム制御装置およびそのビデオ制御方法を提供することである。本発明のビデオ制御方法を介して、表示装置アセンブリの構築を完了することができる。
【０００９】
（４）本発明のさらにもう１つの目的は、画面表示領域を数個のディスプレイデータチャンネルＤＤＣ（Ｄｉｓｐｌａｙ  Ｄａｔａ  Ｃｈａｎｎｅｌ）でそれぞれ接続するか、またはシリアル通信インターフェースＳＣＩ（Ｓｅｒｉａｌ  Ｃｏｍｍｕｎｉｃａｔｉｏｎ  Ｉｎｔｅｒｆａｃｅ）でシリアル接続し、選び、調整し制御する数個のインテリジェント表示装置を提供可能な新しいビデオ制御システム、ビデオシステム制御装置およびそのビデオ制御方法を提供することである。本発明のビデオ制御方法を介して、表示装置アセンブリにさらに柔軟性と効率をもたせ、システム全体の装置とメンテナンスのコストを下げることができる。
（５）本発明のさらにもう１つの目的は、例えばビデオウォールなど、インテリジェント表示装置により構成された表示装置アセンブリをアセンブリするビデオ制御システム、ビデオシステム制御装置およびそのビデオ制御方法を提供することである。本発明のビデオ制御方法を介して、ビデオコンテントを表示装置アセンブリの個別のインテリジェント表示装置の画面に表示する。
【００１０】
（６）本発明のさらにもう１つの目的は、例えばビデオウォールなど、インテリジェント表示装置により構成された表示装置アセンブリにおいて、公知のビデオコンテント分割で達成できない処理能力および表示能力を達成することができ、さらに実用に適したビデオ制御システム、ビデオシステム制御装置およびそのビデオ制御方法を提供することである。
【課題を解決するための手段】
【００１１】
本発明の目的およびその技術的課題の解決は、下記の技術手段を採用して実現される。本発明で開示されるビデオ制御システムは、マルチメディア表示環境の表示装置アセンブリに応用し、前記ビデオ制御システムは、前記ビデオ制御システムにおけるすべての信号処理を行うビデオシステム制御装置と、それぞれ独立したアドレス１ＡからＭ×Ｎを有する１個以上のインテリジェント表示装置により構成された表示装置アセンブリとを備える。
【００１２】
本発明の目的およびその技術的解決の解決は、さらに下記の技術措置を採用して実現することができる。
【００１３】
前記ビデオ制御システムの前記表示装置アセンブリと前記ビデオシステム制御装置との間の接続は、前記インテリジェント表示装置の数と等しいビデオ出力ストリームおよび前記インテリジェント表示装置の数と等しいディスプレイデータチャンネルまたは単一のシリアル通信インターフェースにより構成される。
【００１４】
前記ビデオ制御システムの前記インテリジェント表示装置は、いずれも前記ビデオシステム制御装置からの、そのうち１つのビデオ出力ストリーム信号およびそのうち１つのディスプレイデータチャンネル信号にそれぞれ接続し、Ｍ×Ｎ個まで拡張することができる。
【００１５】
前記ビデオ制御システムの前記インテリジェント表示装置は、いずれも前記ビデオシステム制御装置からの、そのうち１つのビデオ出力ストリーム信号にそれぞれ接続するだけでなく、前記ビデオシステム制御装置からのシリアル通信インターフェース信号にもシリアル接続方式で共同接続する。
【００１６】
前記ビデオ制御システムの前記ビデオシステム制御装置は、入力されたビデオ入力をビデオ分配器の要求に適合するビデオフォーマットに転換可能で、転換後のビデオ信号を出力可能な１個以上のビデオブリッジを含むビデオブリッジ装置装置と、前記ビデオブリッジ装置および／または組込マイクロプロセッサモジュールからの１個以上のビデオ信号を受信し、前記１個以上のビデオ信号を選んで出力し、１個以上のビデオ出力ストリームを表示装置アセンブリに出力可能であり、これによって表示装置アセンブリの１個以上のインテリジェント表示装置を駆動するビデオ分配器と、マイクロプロセッサ制御バスにより、ビデオ分配器およびディスプレイデータチャンネルコントローラを制御し、ヒューマンインターフェース入力を受信可能で、ビデオ信号をビデオ分配器に転送可能であり、ビデオ分配器の分配メカニズムを動的に即時制御でき、表示装置アセンブリの各インテリジェント表示装置のために、ディスプレイデータチャンネルコントローラのディスプレイデータチャンネルを動的に指定することにより、インテリジェント表示装置の各表示フレームをリアルタイム方式で調整する組込マイクロプロセッサモジュールと、ビデオ分配器が出力する１個以上のビデオ出力ストリームを、前記ディスプレイデータチャンネルコントローラが、ディスプレイデータに付随させ、表示装置アセンブリの各表示装置にそれぞれ転送させる、または表示装置アドレス指示を含むシリアル通信インターフェース信号を表示装置アセンブリの各表示装置にシリアル接続させることが可能なディスプレイデータチャンネル／シリアル通信インターフェースとをさらに備える。
【００１７】
前記ビデオ制御システムの前記ビデオブリッジは、同じビデオブリッジ機能を有するか、または各自それ自身の特定のビデオブリッジ機能を有する。
【００１８】
本発明の目的およびその技術的課題の解決は、さらに下記の技術手段を採用して実現することができる。本発明で開示したビデオシステム制御装置をマルチメディア表示環境の表示装置に応用し、前記ビデオ制御装置は、入力されたビデオ入力をビデオ分配器の要求に適合するビデオフォーマットに転換可能で、転換後のビデオ信号を出力可能な１個以上のビデオブリッジを含むビデオブリッジ装置と、前記ビデオブリッジ装置および／または組込マイクロプロセッサモジュールからの１個以上のビデオ信号を受信し、前記１個以上のビデオ信号を選んで出力し、１個以上のビデオ出力ストリームを表示装置アセンブリに出力可能であり、これによって表示装置アセンブリの１個以上のインテリジェント表示装置を駆動するビデオ分配器と、マイクロプロセッサ制御バスにより、ビデオ分配器およびディスプレイデータチャンネルコントローラを制御し、ヒューマンインターフェース入力を受信可能で、ビデオ信号をビデオ分配器に転送可能であり、ビデオ分配器の分配メカニズムを動的に即時制御でき、表示装置アセンブリの各インテリジェント表示装置のために、ディスプレイデータチャンネルコントローラのディスプレイデータチャンネルを動的に指定することにより、インテリジェント表示装置の各表示フレームをリアルタイム方式で調整する組込マイクロプロセッサモジュールと、ビデオ分配器が出力する１個以上のビデオ出力ストリームを、前記ディスプレイデータチャンネルコントローラが、ディスプレイデータに付随させ、表示装置アセンブリの各表示装置にそれぞれ転送させる、または表示装置アドレス指示を含むシリアル通信インターフェース信号を表示装置アセンブリの各表示装置にシリアル接続させることが可能なディスプレイデータチャンネル／シリアル通信インターフェースと、各種音声映像またはマルチメディアファイルを格納し、組込マイクロプロセッサモジュールで選択、読取およびフォーマット転換し、ビデオ分配器に出力する記憶装置とを備える。
【００１９】
本発明の目的およびその技術的課題の解決は、さらに下記の技術措置を採用して実現することができる。
【００２０】
前記ビデオシステム制御装置の前記ディスプレイデータチャンネルコントローラおよびシリアル通信インターフェースは、前記ビデオ分配器が出力するマトリクス式ビデオ出力ストリームを、ディスプレイデータまたはシリアル通信インターフェース信号に付随させることができる。
【００２１】
前記ビデオシステム制御装置の前記表示装置アセンブリのアセンブリは、それぞれ独立したアドレス１ＡからＭ×Ｎを有する１個以上のインテリジェント表示装置により構成される。
【００２２】
前記ビデオシステム制御装置の前記インテリジェント表示装置は、表示装置アセンブリを形成するように相互にアセンブリして配列し、ビデオ入力以外に、ディスプレイデータチャンネルまたはシリアル通信インターフェース信号を受信して、その表示フレームを調整する。
【００２３】
前記ビデオシステム制御装置の前記ビデオブリッジは、同じビデオブリッジ機能を有するか、または各自それ自身の特定のビデオブリッジ機能を有する。
【００２４】
本発明の目的およびその技術的課題の解決は、さらに下記の技術手段を採用して実現する。本発明で開示したビデオ制御方法を、マルチメディア表示環境の表示装置アセンブリに応用し、前記ビデオ制御方法は、ビデオ入力をビデオブリッジ装置におけるビデオブリッジに転送し、ビデオブリッジがビデオ入力をビデオ分配器の要求に適合するビデオフォーマットに転換し、転換後のビデオ信号を前記ビデオ分配器に出力するステップと、前記ビデオ分配器がビデオ信号を受信し、ビデオ信号を選んで出力し、１個以上のビデオ出力ストリームを表示装置アセンブリに出力するステップとを含む。
【００２５】
本発明の目的およびその技術的課題の解決は、さらに下記の技術措置を採用して実現することができる。
【００２６】
前記ビデオ制御方法の前記ビデオブリッジは、同じビデオブリッジ機能を有するか、または各自それ自身の特定のビデオブリッジ機能を有する。
【００２７】
本発明の目的およびその技術的課題の解決は、さらに下記の技術手段を採用して実現することができる。本発明で開示したビデオ制御方法を、マルチメディア表示環境の表示装置アセンブリに応用し、前記ビデオ制御方法は、ビデオ入力をビデオブリッジ装置におけるビデオブリッジに転送し、前記ビデオブリッジがビデオ入力を前記ビデオ分配器の要求に適合するビデオフォーマットに転換し、転換後のビデオ信号を前記ビデオ分配器に出力するステップと、前記ビデオ分配器が前記ビデオブリッジ装置および組込マイクロプロセッサモジュールからの１個以上のビデオ信号を受信して出力し、１個以上のビデオ出力ストリームを表示装置アセンブリに出力するステップとを含む。
【００２８】
本発明の目的およびその技術的課題の解決は、さらに下記の技術措置を採用して実現することができる。
【００２９】
前記ビデオ制御方法の前記ビデオブリッジは、同じビデオブリッジ機能を有するか、または各自それ自身の特定のビデオブリッジ機能を有する。
【００３０】
本発明の目的およびその技術的課題の解決は、さらに下記の技術手段を採用して実現することができる。本発明で開示したビデオ制御方法を、マルチメディア表示環境の表示装置アセンブリに応用し、前記ビデオ制御方法は、ビデオ入力を個別の関連するビデオブリッジ装置におけるビデオブリッジに転送し、個別の関連するビデオブリッジがビデオ入力をビデオ分配器の要求に適合するビデオフォーマットに転換し、ビデオブリッジ装置が転換後のビデオ信号を前記ビデオ分配器に出力するステップと、前記ビデオ分配器の複数のビデオ入力ポートを、前記ビデオブリッジ装置および組込マイクロプロセッサモジュールからの１個以上のビデオ信号の受信に用い、前記ビデオ分配器が１個以上のビデオ出力ストリームを表示装置アセンブリに出力するステップと、前記組込マイクロプロセッサモジュールが、前記ビデオ分配器の分配メカニズムを動的に即時制御し、表示装置アセンブリの各インテリジェント表示装置に対し、ディスプレイデータチャンネル／シリアル通信インターフェースのディスプレイデータチャンネルまたはシリアル通信インターフェース信号を動的に指定することにより、インテリジェント表示装置の各表示フレームをリアルタイム方式で調整するステップとを含む。
【００３１】
本発明の目的およびその技術的課題の解決は、さらに下記の技術措置を採用して実現することができる。
【００３２】
前記ビデオ制御方法の前記ディスプレイデータチャンネルコントローラおよびシリアル通信インターフェースは、前記ビデオ分配器が出力するマトリクス式ビデオ出力ストリームを、ディスプレイデータまたはシリアル通信インターフェース信号に付随させることができる。
【００３３】
前記ビデオ制御方法の前記ビデオブリッジは、同じビデオブリッジ機能を有するか、または各自それ自身の特定のビデオブリッジ機能を有する。
【００３４】
本発明は、従来技術と比べ、顕著な長所と有益な効果を有している。前記技術手段から分かるように、本発明の主な技術内容は下記のとおりである。
【００３５】
前記目的を達成するため、本発明は、ビデオ制御システムおよび方法を提供する。前記ビデオ制御システムは、ビデオシステム制御装置と、インテリジェント表示装置により構成される表示装置アセンブリとを備える。ビデオシステム制御装置は、組込マイクロプロセッサモジュールと、ビデオブリッジ装置と、ビデオ分配器と、ディスプレイデータチャンネルまたはシリアル通信インターフェースと、記憶装置とを含む。ビデオシステム制御装置と表示装置アセンブリとのシステム接続方法は、各インテリジェント表示装置のディスプレイデータチャンネルＤＤＣまたはすべてのインテリジェント表示装置のシリアル通信インターフェースＳＣＩへのシリアル接続である。
【００３６】
本発明のビデオ制御システムを利用して、ビデオ制御方法を行うとき、複数のビデオブリッジ（ｖｉｄｅｏ  ｂｒｉｄｇｅ）を有するビデオシステム制御装置のビデオブリッジ装置は、その入力する各ビデオ入力をビデオ分配器の要求に適合するビデオフォーマットに転換可能であり、転換後のビデオ信号をビデオ分配器に出力可能である。特定の入力ビデオフォーマット（ｉｎｐｕｔ  ｖｉｄｅｏ  ｆｏｒｍａｔ）を有するビデオ分配器は、複数のビデオ入力ポート（ｐｏｒｔ）を有し、ビデオブリッジ装置からの１個以上のビデオ出力ストリームの受信、および組込マイクロプロセッサモジュールの１個以上のビデオ出力ストリームの受信に用いることができる。前記ビデオ分配器は、マトリクス式のＭ＊Ｎまたは任意の１個以上のビデオ出力ストリーム（ｖｉｄｅｏ  ｏｕｔｐｕｔ  ｓｔｒｅａｍ）を表示装置アセンブリに出力可能であり、これによって表示装置アセンブリのマトリクス式のＭ＊Ｎまたは任意の１個以上のインテリジェント表示装置の装置アセンブリを駆動する。ディスプレイデータチャンネルまたはシリアル通信インターフェースは、マトリクス式のＭ＊Ｎまたは任意の１個以上のディスプレイデータチャンネルまたはシリアル通信インターフェース信号を出力可能であり、前記ディスプレイデータチャンネルは、ビデオ分配器の各ビデオ出力ストリームに、追加補助（ａｕｘｉｌｉａｒｙ）ディスプレイデータを各インテリジェント表示装置に付随させることが可能である。シリアル通信インターフェースは、アドレス指示を含むシリアル通信インターフェース信号を各インテリジェント表示装置にシリアル接続方式で転送する。以上のディスプレイデータまたはシリアル通信インターフェース信号は、いずれも各インテリジェント表示装置の表示フレームを調整する制御コマンドを含む。組込マイクロプロセッサモジュールは、全ビデオ制御処理プロセスを制御し、マイクロプロセッサ制御バス（ＭＰＵ  ｃｏｎｔｒｏｌ  Ｂｕｓ）を介してビデオ分配器、ディスプレイデータチャンネル／シリアル通信インターフェースおよび記憶装置を制御する。組込マイクロプロセッサモジュールは、ヒューマンインターフェース（ｈｕｍａｎ  ｉｎｔｅｒｆａｃｅ）入力を受信可能であり、記憶装置からの音声映像またはマルチメディアファイルを調整可能であり、ビデオ分配器のビデオフォーマットに適合するビデオ出力ストリームをビデオ分配器に出力する。また、組込マイクロプロセッサモジュールは、ビデオ分配器のビデオ分配方式を動的に制御可能であり、組込マイクロプロセッサモジュールは、ディスプレイデータチャンネル／シリアル通信インターフェースも動的に制御可能であり、各ディスプレイデータチャンネルまたはシリアル通信インターフェースを利用して、表示フレームを調整する制御コマンドを表示装置アセンブリの各インテリジェント表示装置に出力する。組込マイクロプロセッサモジュールのビデオ分配器を即時制御するビデオソースと分配メカニズムおよびディスプレイデータチャンネル／シリアル通信インターフェースを同時に即時制御することを介し、表示フレームを調整する制御コマンドを出力し、例えばビデオウォールなど、表示装置アセンブリのインテリジェント表示装��の各表示内容およびフレームの複数のおよび／または全部の表示内容を表示可能である。記憶装置は、各種音声映像またはマルチメディアファイルを格納し、組込マイクロプロセッサモジュールで読取および転換フォーマットを選択し、ビデオ分配器に出力する。ビデオブリッジ装置フォーマットにより外部からのビデオ信号ソースを転換することを組み合わせ、ビデオ分配器のビデオソースをさらに豊富にし、表示装置アセンブリの全体的な画面内容をさらに多元的なものにすることができる。
【００３７】
このようにして、本発明のビデオ制御システムおよび方法は、ビデオシステム制御装置のビデオブリッジおよびビデオ分配方式を利用し、多元なソースのビデオ画面を画面表示領域に動的に分配し、制御するインテリジェント表示装置の表示画面を選び、調整することができる。また、ビデオシステム制御装置のディスプレイデータチャンネルまたはシリアル通信インターフェースを利用し、表示装置アセンブリの各インテリジェント表示装置の表示フレームを調整し、表示装置アセンブリのアセンブリの画面表示をさらに迅速にし、さらに柔軟性があるものにすることができる。
【００３８】
また、前記目的を達成するため、本発明は、マルチメディア表示環境の表示装置アセンブリに応用するビデオ制御システムを提供する。前記ビデオ制御システムは、前記ビデオ制御システムにおけるすべての信号処理を行うビデオシステム制御装置と、それぞれ独立したアドレス１ＡからＭ×Ｎを有する１個以上のインテリジェント表示装置により構成された表示装置アセンブリとを含む。
【００３９】
さらに、前記目的を達成するため、本発明は、入力されたビデオ入力をビデオ分配器の要求に適合するビデオフォーマットに転換可能で、転換後のビデオ信号を出力可能な１個以上のビデオブリッジを含むビデオブリッジ装置と、前記ビデオブリッジ装置および／または組込マイクロプロセッサモジュールからの１個以上のビデオ信号を受信し、前記１個以上のビデオ信号を選んで出力し、１個以上のビデオ出力ストリームを表示装置アセンブリに出力可能であり、これによって表示装置アセンブリの１個以上のインテリジェント表示装置を駆動するビデオ分配器と、マイクロプロセッサ制御バスにより、ビデオ分配器およびディスプレイデータチャンネルコントローラを制御し、ヒューマンインターフェース入力を受信可能で、ビデオ信号をビデオ分配器に転送可能であり、ビデオ分配器の分配メカニズムを動的に即時制御でき、表示装置アセンブリの各インテリジェント表示装置のために、ディスプレイデータチャンネルコントローラのディスプレイデータチャンネルを動的に指定することにより、インテリジェント表示装置の各表示フレームをリアルタイム方式で調整する組込マイクロプロセッサモジュールと、ビデオ分配器が出力する１個以上のビデオ出力ストリームを、前記ディスプレイデータチャンネルコントローラが、ディスプレイデータに付随させ、表示装置アセンブリの各表示装置にそれぞれ転送させる、または表示装置アドレス指示を含むシリアル通信インターフェース信号を表示装置アセンブリの各表示装置にシリアル接続させることが可能なディスプレイデータチャンネル／シリアル通信インターフェースと、各種音声映像またはマルチメディアファイルを格納し、組込マイクロプロセッサモジュールで読取および転換フォーマットを選択し、ビデオ分配器に出力する記憶装置とを備えるビデオ制御装置をさらに提供する。
【００４０】
また、前記目的を達成するため、本発明は、マルチメディア表示環境の表示装置アセンブリに応用し、ビデオ入力を個別の関連するビデオブリッジ装置におけるビデオブリッジに転送し、個別の関連するビデオブリッジがビデオ入力をビデオ分配器の要求に適合するビデオフォーマットに転換し、前記ビデオブリッジ装置が転換後のビデオ信号を前記ビデオ分配器に出力するステップと、前記ビデオ分配器の複数のビデオ入力ポートを、前記ビデオブリッジ装置および組込マイクロプロセッサモジュールの１個以上のビデオ信号の受信に用い、前記ビデオ分配器が１個以上のビデオ出力ストリームを表示装置アセンブリに出力するステップとを含むビデオ制御方法をさらに提供する。前記組込マイクロプロセッサモジュールは、ビデオ分配器の分配メカニズムを動的に即時制御することができ、表示装置アセンブリの各インテリジェント表示装置に対し、ディスプレイデータチャンネル／シリアル通信インターフェースのディスプレイデータチャンネルまたは表示装置のアドレス指示を含むシリアル通信インターフェース信号を動的に指定することにより、インテリジェント表示装置の各表示フレームをリアルタイム方式で調整する。
【発明の効果】
【００４１】
前記技術手段を用い、本発明のビデオ制御システム、ビデオシステム制御装置およびそのビデオ制御方法は、少なくとも下記の長所および有益な効果を有する。
１、本発明をマルチメディア表示環境の表示装置アセンブリに応用し、本発明のビデオ制御システムのビデオシステム制御装置の組込制御のビデオブリッジ装置を利用して、ビデオ分配器のビデオ供給と方式を調整し、さらに数個のディスプレイデータチャンネルＤＤＣ（Ｄｉｓｐｌａｙ  Ｄａｔａ  Ｃｈａｎｎｅｌ）を介してそれぞれ接続するか、またはシリアル通信インターフェースＳＣＩ（Ｓｅｒｉａｌ  Ｃｏｍｍｕｎｉｃａｔｉｏｎ  Ｉｎｔｅｒｆａｃｅ）を介してシリアル接続する。その画面表示領域で、選び、調整し制御する数個のインテリジェント表示装置を提供することができる。多元なソースの配列ビデオコンテントを個別に分割および／または全体的に統合し、例えば、マトリクス式アセンブリの数個の表示装置からなるビデオウォールの個別の表示装置の表示画面など、表示装置アセンブリの個別の表示装置の表示画面に柔軟に表示することができ、非常に実用に適している。
２、本発明をマルチメディア表示環境の表示装置アセンブリに応用し、本発明のビデオ制御システムのビデオシステム制御装置の組込制御のビデオブリッジ装置と、ビデオ分配器のビデオ供給方式、および数個のディスプレイデータチャンネルＤＤＣ（Ｄｉｓｐｌａｙ  Ｄａｔａ  Ｃｈａｎｎｅｌ）でそれぞれ接続するか、またはシリアル通信インターフェースＳＣＩ（Ｓｅｒｉａｌ  Ｃｏｍｍｕｎｉｃａｔｉｏｎ  Ｉｎｔｅｒｆａｃｅ）とシリアル接続した画面表示領域を利用して、選び、調整し制御する数個のインテリジェント表示装置を提供することができる。本発明のビデオ制御方法を介して、表示装置アセンブリにさらに柔軟性と効率をもたせ、システム全体の装置とメンテナンスのコストを下げることができる。
３、本発明は、数個のディスプレイデータチャンネルＤＤＣ（Ｄｉｓｐｌａｙ  Ｄａｔａ  Ｃｈａｎｎｅｌ）でそれぞれ接続するか、またはシリアル通信インターフェースＳＣＩ（Ｓｅｒｉａｌ  Ｃｏｍｍｕｎｉｃａｔｉｏｎ  Ｉｎｔｅｒｆａｃｅ）でシリアル接続し、画面表示領域で、選び、調整し制御する数個のインテリジェント表示装置を提供することができる。本発明のビデオ制御方法を介して、表示装置アセンブリの構築を完了することができる。
４、本発明は、数個のディスプレイデータチャンネルＤＤＣ（Ｄｉｓｐｌａｙ  Ｄａｔａ  Ｃｈａｎｎｅｌ）でそれぞれ接続するか、またはシリアル通信インターフェースＳＣＩ（Ｓｅｒｉａｌ  Ｃｏｍｍｕｎｉｃａｔｉｏｎ  Ｉｎｔｅｒｆａｃｅ）でシリアル接続し、画面表示領域で、選び、調整し制御する数個のインテリジェント表示装置を提供することができる。本発明のビデオ制御方法を介して、表示装置アセンブリにさらに柔軟性と効率をもたせ、システム全体の装置とメンテナンスのコストを下げることができる。
５、本発明は、例えばビデオウォールなど、インテリジェント表示装置により構成された表示装置アセンブリにおいて、本発明のビデオ制御方法を介して、ビデオコンテントを表示装置アセンブリの個別のインテリジェント表示装置の画面に表示する。
６、本発明は、例えばビデオウォールなど、インテリジェント表示装置により構成された表示装置アセンブリにおいて、公知のビデオコンテント分割で達成できない処理能力および表示能力を達成することができ、さらに実用に適している。
【００４２】
前記の内容を総合すると、本発明は、マルチメディア表示環境の表示装置アセンブリ（ｄｉｓｐｌａｙ  ｄｅｖｉｃｅ  ａｓｓｅｍｂｌｙ）に応用するビデオ制御システム、ビデオシステム制御装置およびそのビデオ制御方法に関する。本発明のビデオ制御システムにおけるビデオシステム制御装置（ｄｉｓｐｌａｙ  ｓｙｓｔｅｍ  ｃｏｎｔｒｏｌ  ｄｅｖｉｃｅ）の組込制御（ｅｍｂｅｄｄｅｄ  ｃｏｎｔｒｏｌｌｉｎｇ）のビデオブリッジ装置（ｖｉｄｅｏ  ｂｒｉｄｇｅ）を利用してビデオ分配器（ｖｉｄｅｏ  ｓｗｉｔｃｈ）とビデオ供給方式を調整し、さらに数個のディスプレイデータチャンネルＤＤＣ（Ｄｉｓｐｌａｙ  Ｄａｔａ  Ｃｈａｎｎｅｌ）を介してそれぞれ接続するか、またはシリアル通信インターフェースＳＣＩ（Ｓｅｒｉａｌ  Ｃｏｍｍｕｎｉｃａｔｉｏｎ  Ｉｎｔｅｒｆａｃｅ）とシリアル接続する。その画面表示領域で、数個のインテリジェント表示装置（ｉｎｔｅｌｌｉｇｅｎｔ  ｄｉｓｐｌａｙ  ｄｅｖｉｃｅ）を選び、調整し制御することができ、多元なソースの配列ビデオコンテントを個別に分割および／または全体的に統合し、例えば、マトリクス式アセンブリの数個の表示装置からなるビデオウォール（ｖｉｄｅｏ  ｗａｌｌ）の個別の表示装置の表示画面など、表示装置アセンブリの個別の表示装置の表示画面（ｄｉｓｐｌａｙ  Ｓｃｒｅｅｎ）に柔軟に表示することができる。以上の方式を介し、表示装置アセンブリにさらに柔軟性と効率をもたせ、システム全体の装置とメンテナンスのコストを下げることができる。
【００４３】
前記のとおり、本発明の分散式制御処理方式の最大の異なる箇所は、システム制御設備の面で、従来の膨大で複雑なビデオウォールサーバのようなハイエンドビデオサーバを使用せずに、コスト効率を比較的有する組込制御ビデオブリッジ装置とビデオ分配器を主としたビデオシステム制御装置を採用することができることである。また、個別の表示装置は、普通でない表示装置を採用し、画面表示領域で選び、調整し制御するインテリジェント表示装置を提供する。適切に、数個インテリジェント表示装置に数個のディスプレイデータチャンネルＤＤＣ（Ｄｉｓｐｌａｙ  Ｄａｔａ  Ｃｈａｎｎｅｌ）でそれぞれ接続し、またはシリアル通信インターフェースＳＣＩ（Ｓｅｒｉａｌ  Ｃｏｍｍｕｎｉｃａｔｉｏｎ  Ｉｎｔｅｒｆａｃｅ）でシリアル接続した新型ビデオシステム制御装置は、表示装置アセンブリで必要とする新しいビデオ制御システムを形成し、公知のビデオコンテントの分割、統合および分配技術で達成できない処理および効果を達成することができ、設備のコストを大幅に下げることができる。本発明は、前記の多くの長所および実用価値を有し、製品構造、制御方法または機能上、すべてにおいて比較的大きな改善がなされており、技術的に著しい進歩を有する。また、使いやすく実用的な効果を生み出しており、かつ気以来の表示装置に比べ、増進し突出した多くの効果を有し、実用にさらに適しており、新規で、進歩的で、実用的な新しい設計である。
【００４４】
前記の説明は、本発明の技術手段の概略でしかなく、本発明の技術手段をさらによく理解するためのものであり、明細書の内容により実施することができる。本発明の前記およびその他の目的、特徴および長所をさらに分かりやすくするため、下記の好ましい実施例を挙げ、図面と合わせ、詳細に説明する。
【図面の簡単な説明】
【００４５】
【図１】本発明のビデオ制御システムのシステム構造を示し説明するシステム構造概略図である。
【図２】本発明のビデオ制御システムの表示装置アセンブリの１種の接続方式を示し説明する表示装置アセンブリの概略図１である。
【図３】本発明のビデオ制御システムの表示装置アセンブリのもう１種の接続方式を示し説明する表示装置アセンブリの概略図２である。
【図４】本発明のビデオ制御システムの表示装置アセンブリの１種マトリクス配列方式を示し説明する表示装置アセンブリの概略図３である。
【図５】図４の表示装置アセンブリが対応するマトリクス配列の全体画面と各インテリジェント表示装置である。
【図６】本発明のビデオ制御システムのビデオシステム制御装置を示し説明するビデオシステム制御装置の概略図である。
【図７】本発明のビデオ制御システムのビデオシステム制御装置を利用してビデオ制御方法を行う流れのステップを示し説明するビデオシステム制御装置機能の概略図である。
【図８】本発明のビデオ制御システムを表示装置アセンブリと組み合わせた運用状況を示し説明するシステム運用フローの概略図１である。
【図９】本発明のビデオ制御システムを表示装置アセンブリと組み合わせた運用状況を示し説明するシステム運用フロー的概略図２である。
【図１０】本発明のビデオ制御システムを利用してビデオ制御方法を行う好ましい実施例の流れのステップを示し説明する好ましい実施例の概略図である。
【図１１】マトリクス式２×２表示装置アセンブリの全体画面およびそのインテリジェント表示装置を示し説明する概略図である。
【図１２】本発明のビデオ制御システムを利用してビデオ制御方法を行うもう１つの実施例の流れのステップを示し説明するもう１つの好ましい実施例の概略図である。
【図１３】もう１つのマトリクス式２×２表示装置アセンブリの全体画面およびそのインテリジェント表示装置を示すもう１つの概略図である。
【図１４】本発明のビデオ制御システムを利用してビデオ制御方法を行うもう１つの好ましい実施例の流れのステップを示し説明するもう１つの実施例の概略図である。
【図１５】もう１つのマトリクス式２×２表示装置アセンブリの全体画面およびそのインテリジェント表示装置を示すもう１つの概略図である。
【発明を実施するための形態】
【００４６】
本発明で意図された発明目的を達成するために採る技術手段および効果をさらに説明するため、図面および好ましい実施例を合わせ、本発明によるビデオ制御システム、ビデオシステム制御装置およびそのビデオ制御方法の具体的な実施形態、構造、方法のステップ、特徴およびその効果について、詳細に説明する。
【００４７】
本発明の前記およびその他の技術内容、特徴および効果について、参考図面の好ましい実施例における詳細な説明において、はっきりと表現することができる。具体的な実施形態の説明を介し、本発明の意図された目的を達成するために採られた技術手段および効果をさらに深め、具体的に理解することができるが、図面は参考と説明のために提供されているだけであり、本発明に制限を加えるためのものではない。
【００４８】
図１は、本発明のビデオ制御システムのシステム構造を示し説明するシステム構造概略図である。本発明のビデオ制御システムの接続装置は、表示装置アセンブリ２とビデオシステム制御装置３とを含む。表示装置アセンブリ２は、それぞれ独立したアドレス（１）から（Ｍ×Ｎ）を有する１個以上のインテリジェント表示装置２１により構成される。表示装置アセンブリ２とビデオシステム制御装置３との間の接続は、インテリジェント表示装置２１の数と等しいビデオ出力ストリームおよびインテリジェント表示装置２１の数と等しいディスプレイデータチャンネルまたは単一のシリアル通信インターフェースにより構成される。
【００４９】
インテリジェント表示装置２１のアセンブリ配列は、表示装置アセンブリを形成し、ビデオ入力以外に、ディスプレイデータチャンネルまたはシリアル通信インターフェース信号を受信し、その表示フレームを調整する。
【００５０】
図２は、本発明のビデオ制御システムの表示装置アセンブリの１種の接続方式を示し説明する表示装置アセンブリの概略図１である。各インテリジェント表示装置２１は、いずれもビデオシステム制御装置３からの、そのうちの１つのビデオ出力ストリーム信号およびそのうちの１つのディスプレイデータチャンネル信号にそれぞれ接続し、Ｍ×Ｎ個まで拡張することができる。
【００５１】
図３は、本発明のビデオ制御システムの表示装置アセンブリのもう１種の接続方式を示し説明する表示装置アセンブリの概略図２である。各インテリジェント表示装置２１は、いずれもビデオシステム制御装置３からの、そのうち１つのビデオ出力ストリーム信号にそれぞれ接続するだけでなく、ビデオシステム制御装置３からのシリアル通信インターフェース信号にもシリアル接続方式で共同接続する。また、シリアル通信インターフェース信号における制御コマンドは、インテリジェント表示装置のアドレス指示機能を含む。
【００５２】
図４は、本発明のビデオ制御システムの表示装置アセンブリの１種マトリクス配列方式を示し説明する表示装置アセンブリの概略図３である。例えばＭ×Ｎビデオウォールなど、Ｍ×Ｎ個の表示装置により構成されるが、前記配列方式はそのうちの１種の特例でしかなく、形式を問わない任意の配列とすることができる。
【００５３】
図５は、図４の表示装置アセンブリが対応するマトリクス配列の全体画面と各インテリジェント表示装置である。図４の表示装置アセンブリが対応するマトリクス配列のＭ×Ｎ個のインテリジェント表示装置４１および構成される全体画面４であり、各インテリジェント表示装置４１は図４の表示装置に対応する。ビデオ制御システム１のシステム制御装置３は、マトリクス式のＭ×Ｎ個のビデオ出力ストリームを表示装置アセンブリ２に転送する。ここで、ビデオ制御システム１のディスプレイデータチャンネル／シリアル通信インターフェース８も、ディスプレイデータチャンネル１”“‘’をディスプレイデータチャンネル（Ｍ＊Ｎ）’’’’’にそれぞれ転送するか、またはシリアル接続シリアル通信インターフェース信号を表示装置アセンブリ２の各インテリジェント表示装置２１にそれぞれ転送し、インテリジェント表示装置４１の表示フレームを調整する。
【００５４】
図６は、本発明のビデオ制御システムのビデオシステム制御装置を示し説明するビデオシステム制御装置の概略図である。本発明のビデオシステム制御装置３は、ビデオブリッジ装置５と、ビデオ分配器６と、組込マイクロプロセッサモジュール７と、ディスプレイデータチャンネル／シリアル通信インターフェース８と、記憶装置９とを含む。
【００５５】
ビデオブリッジ装置５は、１個以上のビデオブリッジ５１を有する。
【００５６】
ビデオシステム制御装置３のビデオブリッジ装置５は、ビデオブリッジ機能を有する。ここで、ビデオブリッジ装置５のうちの１個以上のビデオブリッジ５１は、例えば、ビデオ入力１”からビデオ入力Ｘ’’までなど、そのビデオ入力に入力することができ、ビデオ分配器６の要求に適合するビデオフォーマットに転換し、転換後のビデオ信号をビデオ分配器６に出力する。ここで、１個以上のビデオブリッジ５１は、同じビデオブリッジ機能を有することも、１個以上のビデオブリッジ５１が各自それ自身の特定のビデオブリッジ機能を有することもできる。
【００５７】
ビデオ分配器６は、特定のビデオ入力フォーマットを有する。設置された複数のビデオ入力ポート（ｐｏｒｔ）を、例えば、ビデオ出力ストリーム１””からビデオ出力ストリームＸ””など、ビデオブリッジ装置５からの１個以上のビデオ出力ストリームの受信、および例えば、ビデオ信号Ｘ’’’＋１からビデオ信号Ｘ’’’＋Ｙ’’’など、組込マイクロプロセッサモジュール７からの１個以上のビデオ出力ストリームの受信に用いることができる。ビデオ分配器６は、マトリクス式のＭ×Ｎ個または任意の１個以上のビデオ出力ストリーム１’’’’からビデオ出力ストリーム（Ｍ＊Ｎ）’’’’までを表示装置アセンブリ２に出力することができる。ここで、例えば、表示装置アセンブリ２をビデオウォールの型式にした場合、表示装置アセンブリ２は図４の表示装置アセンブリ例であり、このように、ビデオ出力ストリーム１’’’’から（Ｍ＊Ｎ）’’’’は、図５のインテリジェント表示装置（１）から（Ｍ＊Ｎ）をそれぞれ駆動する。
【００５８】
組込マイクロプロセッサモジュール７は、全ビデオ制御処理プロセスを制御し、マイクロプロセッサ制御バス（ＭＰＵ  ｃｏｎｔｒｏｌ  Ｂｕｓ）を介してビデオ分配器６、ディスプレイデータチャンネル／シリアル通信インターフェース８および記憶装置９を制御する。組込マイクロプロセッサモジュール７は、ヒューマンインターフェース（ｈｕｍａｎ  ｉｎｔｅｒｆａｃｅ）入力を受信可能であり、記憶装置９からの音声映像またはマルチメディアファイルを調整可能であり、ビデオ分配器６が必要とするビデオフォーマットに適合するビデオ出力ストリーム、例えば、ビデオ信号Ｘ’’’＋１からビデオ信号Ｘ’’’＋Ｙ’’’を生成し、ビデオ分配器６に出力する。また、組込マイクロプロセッサモジュール７は、ビデオ分配器６のビデオ分配方式を動的に制御可能であり、これによって、ビデオ分配器６の各ビデオ出力ストリーム１””から（Ｍ＊Ｎ）’’’’は、任意のビデオ入力１”からＸ”＋Ｙ”から動的に選択することができる。組込マイクロプロセッサモジュール７はまた、ディスプレイデータチャンネル／シリアル通信インターフェース８も動的に制御可能であり、各ディスプレイデータチャンネルまたはシリアル通信インターフェースを利用して、表示フレームを調整する制御コマンドを表示装置アセンブリ２の各インテリジェント表示装置２１に出力することにより、各インテリジェント表示装置の表示フレームをリアルタイム方式で調整する。すなわち、ディスプレイデータチャンネルまたはシリアル通信インターフェースを介して、インテリジェント表示装置はその表示フレーム（ｄｉｓｐｌａｙ  ｆｒａｍｅ）を動的に調整する。組込マイクロプロセッサモジュール７のビデオ分配器６を即時制御するビデオソースと分配メカニズムおよびディスプレイデータチャンネル／シリアル通信インターフェース８を同時に即時制御することを介し、表示フレームを調整する制御コマンドを出力し、例えばビデオウォールなどの表示装置アセンブリのインテリジェント表示装置の各表示内容およびフレームの複数のおよび／または全部の表示内容を表示可能である。
【００５９】
ディスプレイデータチャンネル／シリアル通信インターフェース８は、マトリクス式のＭ＊Ｎまたは任意の１個以上のディスプレイデータチャンネルまたはシリアル通信インターフェース信号を出力することができる。前記ディスプレイデータチャンネルは、ビデオ分配器６が出力したマトリクス式のＭ×Ｎ個のビデオ出力ストリーム１””からビデオ出力ストリーム（Ｍ＊Ｎ）’’’’に、追加補助（ａｕｘｉｌｉａｒｙ）ディスプレイデータチャンネル１””’からディスプレイデータチャンネル（Ｍ＊Ｎ）’’’’’を各インテリジェント表示装置に付随させることが可能である。シリアル通信インターフェースは、アドレス指示を含むシリアル通信インターフェース信号を各インテリジェント表示装置にシリアル接続方式で転送する。以上のディスプレイデータチャンネルまたはシリアル通信インターフェース信号は、いずれも各インテリジェント表示装置の表示フレームを調整する制御コマンドを含む。
【００６０】
記憶装置９は、各種音声映像またはマルチメディアファイルを格納し、組込マイクロプロセッサモジュール７で読取および転換フォーマットを選択し、ビデオ信号Ｘ’’’＋１からビデオ信号Ｘ’’’＋Ｙ’’’をビデオ分配器６に出力する。ビデオブリッジ装置５が、外部ビデオソースからのビデオ入力１”からビデオ入力Ｘ’’までのビデオ信号１’’’からビデオ信号Ｘ’’’までに対しフォーマット転換を行うことと合わせ、ビデオ分配器６のビデオソースはさらに豊富になる。
【００６１】
前記表示装置アセンブリは、それぞれ独立したアドレス（１）から（Ｍ×Ｎ）を有する１個以上のインテリジェント表示装置により構成される。インテリジェント表示装置のアセンブリ配列は、表示装置アセンブリを形成し、ビデオ入力以外に、ディスプレイデータチャンネルまたはシリアル通信インターフェース信号を受信し、その表示フレームを調整する。
【００６２】
図７は、本発明のビデオ制御システムのビデオシステム制御装置を利用してビデオ制御方法を行う流れのステップを示し説明するビデオシステム制御装置機能の概略図である。第７図に示すように、先ず、ステップ１１において、ビデオ入力１”からビデオ入力Ｘ”を、ビデオシステム制御装置３のビデオブリッジ装置５における個別の関連するビデオブリッジ５１に入力する。個別の関連するビデオブリッジ５１は、ビデオ入力をビデオ分配器６の要求に適合するビデオフォーマットに転換し、ビデオブリッジ装置５は、転換後のビデオ信号１”’からビデオ信号Ｘ’’’を、ビデオ分配器６に出力する。ここで、１個以上のビデオブリッジ５１は、同じビデオブリッジ機能を有することも、１個以上のビデオブリッジ５１が各自それ自身の特定のビデオブリッジ機能を有することもでき、ステップ１２に進む。
【００６３】
ステップ１２において、ビデオ分配器６の複数のビデオ入力ポート（ｐｏｒｔ）を、ビデオブリッジ装置５からの１個以上のビデオ信号１’’’からビデオ信号Ｘ’’’の受信および／または組込マイクロプロセッサモジュール７からの１個以上のビデオ信号Ｘ’’’＋１からビデオ信号Ｘ’’’＋Ｙ’’’の受信に用いる。ビデオ分配器６は、マトリクス式のＭ×Ｎ個のビデオ出力ストリーム１””からビデオ出力ストリーム（Ｍ＊Ｎ）””を表示装置アセンブリ２に出力可能である。ここで、例えば、表示装置アセンブリ２をビデオウォールの型式とした場合、これによって、表示装置アセンブリ２のＭ×Ｎ個のインテリジェント表示装置を駆動する。それ以外に、ディスプレイデータチャンネル／シリアル通信インターフェース８は、ビデオ分配器６が出力するマトリクス式のＭ×Ｎ個のビデオ出力ストリーム１””からビデオ出力ストリーム（Ｍ＊Ｎ）””に、追加補助（ａｕｘｉｌｉａｒｙ）のディスプレイデータチャンネル１”“‘からディスプレイデータチャンネル（Ｍ＊Ｎ）’’’’’を付随させるか、またはシリアル通信インターフェース信号を出力し、表示装置アセンブリ２の各インテリジェント表示装置２１にシリアル接続することができる。
【００６４】
ビデオ制御方法の流れを行うときに、組込マイクロプロセッサモジュール７が全ビデオ制御処理プロセスを制御し、マイクロプロセッサ制御バス（ＭＰＵ  ｃｏｎｔｒｏｌ  Ｂｕｓ）を介してビデオ分配器６、ディスプレイデータチャンネル／シリアル通信インターフェース８および記憶装置９を制御する。組込マイクロプロセッサモジュール７は、ヒューマンインターフェース（ｈｕｍａｎ  ｉｎｔｅｒｆａｃｅ）入力を受信可能であり、記憶装置９からの音声映像またはマルチメディアファイルを調整可能であり、例えば、ビデオ信号Ｘ’’’＋１からビデオ信号Ｘ’’’＋Ｙ’’’など、ビデオ分配器６が必要とするビデオフォーマットに適合するビデオ出力ストリームを生成し、ビデオ分配器６に出力する。また、組込マイクロプロセッサモジュール７は、ビデオ分配器６のビデオ分配方式を動的に制御可能であり、これによって、ビデオ分配器６の各ビデオ出力ストリーム１””から（Ｍ＊Ｎ）””は、任意のビデオ入力１”からＸ”＋Ｙ”から動的に選択することができる。組込マイクロプロセッサモジュール７はまた、ディスプレイデータチャンネル／シリアル通信インターフェース８も動的に制御可能であり、各ディスプレイデータチャンネルまたはシリアル通信インターフェースを利用して、表示フレームを調整する制御コマンドを表示装置アセンブリ２の各インテリジェント表示装置２１に出力することにより、各インテリジェント表示装置の表示フレームをリアルタイム方式で調整する。すなわち、ディスプレイデータチャンネルまたはシリアル通信インターフェースを介して、インテリジェント表示装置は、その表示フレーム（ｄｉｓｐｌａｙ  ｆｒａｍｅ）を動的に調整する。組込マイクロプロセッサモジュール７のビデオ分配器６を即時制御するビデオソースと分配メカニズムおよびディスプレイデータチャンネル／シリアル通信インターフェース８を同時に即時制御することを介し、表示フレームを調整する制御コマンドを出力し、例えばビデオウォールなどの表示装置アセンブリのインテリジェント表示装置の各表示内容およびフレームの複数のおよび／または全部の表示内容を表示可能である。
【００６５】
図８は、本発明のビデオ制御システムを表示装置アセンブリと組み合わせた運用状況を示し説明するシステム運用フローの概略図１である。ビデオシステム制御装置３は、マトリクス式のＭ×Ｎ個のビデオ出力ストリーム１””からビデオ出力ストリーム（Ｍ＊Ｎ）””を表示装置アセンブリ２の各表示装置２１に転送し、付随するディスプレイデータチャンネル１”“‘からディスプレイデータチャンネル（Ｍ＊Ｎ）’’’’’は、ビデオシステム制御装置３のディスプレイデータチャンネル／シリアル通信インターフェース８を介して、表示装置アセンブリ２の各表示装置２１に転送することができる。
【００６６】
図９は、本発明のビデオ制御システムを表示装置アセンブリと組み合わせた運用状況を示し説明するシステム運用フロー的概略図２である。ビデオシステム制御装置３は、マトリクス式のＭ×Ｎ個のビデオ出力ストリーム１’’’’からビデオ出力ストリーム（Ｍ＊Ｎ）””を表示装置アセンブリ２の各表示装置２１に転送し、付随するシリアル通信インターフェース信号は、ビデオシステム制御装置３のディスプレイデータチャンネル／シリアル通信インターフェース８を介してシリアル接続し、表示装置アセンブリ２の各表示装置２１に転送することができる。
【００６７】
図１０は、本発明のビデオ制御システムを利用してビデオ制御方法を行う実施例の流れのステップを示し説明する実施例の概略図である。図１１は、マトリクス式２×２表示装置アセンブリの全体画面およびそのインテリジェント表示装置を示し説明する構造概略図である。図１１は、本発明のビデオ制御システム１を利用して表示されるマトリクス式２×２表示装置アセンブリの全体画面１００およびその４個のインテリジェント表示装置１０１、１０２、１０３、１０４である。本発明の好ましい実施例のビデオ制御方法は、下記のステップを含む。
【００６８】
先ず、ステップ３１において、ビデオ入力１”からビデオ入力Ｘ”、例えば、ビデオ入力１”からビデオ入力８”を、個別の関連するビデオブリッジ装置５におけるビデオブリッジ５１に入力する。個別の関連するビデオブリッジ５１は、ビデオ入力をビデオ分配器６の要求に適合するビデオフォーマットに転換し、ビデオブリッジ装置５は、転換後のビデオ信号１”からビデオ信号８”を、ビデオ分配器６に出力する。ここで、１個以上のビデオブリッジ５１は、同じビデオブリッジ機能を有することも、１個以上のビデオブリッジ５１が各自それ自身の特定のビデオブリッジ機能を有することもでき、ステップ３２に進む。
【００６９】
ステップ３２において、ビデオ分配器６の複数のビデオ入力ポート（ｐｏｒｔ）を、ビデオブリッジ装置５からのビデオ信号１”’からビデオ信号８’’’の受信に用いる。ここで、例えば、ビデオ分配器６は、受信したビデオ信号１’’’からビデオ信号８’’’の中から、ビデオ信号１”’からビデオ信号４’’’を選び出力する。各ビデオ信号は、ビデオ出力ストリームに対応する。ここで、例えば、ビデオ信号１”’はビデオ出力ストリーム１””に対応し、ビデオ信号２”’はビデオ出力ストリーム２””に対応し、ビデオ信号３”’はビデオ出力ストリーム３””に対応し、ビデオ信号４”’はビデオ出力ストリーム４””に対応する。ビデオ分配器６は、マトリクス式の４個のビデオ出力ストリーム１””から４””を、表示装置アセンブリ２に出力することにより、表示装置アセンブリの２×２全体画面１００のインテリジェント表示装置１０１、１０２、１０３、１０４を駆動し、表示する。ここで、個別のビデオ出力ストリームは、ビデオ信号１”’から４”’に対応しているが、実際の状況では、出力ストリーム１”’’から４’”’は、それぞれ動的に調整し、任意のビデオ信号１’’’から８’’’に対応することができる。また、データチャンネル／シリアル通信インターフェース８は、ビデオ分配器６が出力するマトリクス式の４個のビデオ出力ストリーム１’’’’から４’’’’に、追加補助（ａｕｘｉｌｉａｒｙ）のディスプレイデータチャンネル１”“‘からディスプレイデータチャンネル４’’’’’を付随させるか、またはシリアル通信インターフェース信号を出力し、表示装置アセンブリ２の各インテリジェント表示装置２１にシリアル接続することができる。本実施例におおいて、ディスプレイデータチャンネル１”“‘から４’’’’’またはシリアル通信インターフェース信号は、いずれも全画面表示制御コマンドを各対応表示装置に出す。
【００７０】
ビデオ制御方法の流れを行うときに、組込マイクロプロセッサモジュール７が全ビデオ制御処理プロセスを制御し、マイクロプロセッサ制御バス（ＭＰＵ  ｃｏｎｔｒｏｌ  Ｂｕｓ）を介してビデオ分配器６、ディスプレイデータチャンネル／シリアル通信インターフェース８および記憶装置９を制御する。組込マイクロプロセッサモジュール７は、ヒューマンインターフェース（ｈｕｍａｎ  ｉｎｔｅｒｆａｃｅ）入力を受信可能であり、これによって、ビデオ分配器６のビデオソースと分配方式を動的に制御する。この実施例において、ビデオ出力ストリーム１’’’’から４’’’’は、任意のビデオ入力１”から４”から選択され、表示装置アセンブリ２に転送され、全体画面１００のインテリジェント表示装置１０１、１０２、１０３、１０４を形成する。ディスプレイデータチャンネル／シリアル通信インターフェース８を動的に制御し、各ディスプレイデータチャンネルまたはシリアル通信インターフェースを利用して、表示フレームを調整する制御コマンドを表示装置アセンブリ２の各インテリジェント表示装置２１に出力することにより、各インテリジェント表示装置の表示フレームをリアルタイム方式で調整する。この実施例において、全体画面１００のインテリジェント表示装置１０１、１０２、１０３、１０４は、いずれも全画面を表示するよう指示される。組込マイクロプロセッサモジュール７のビデオ分配器６を即時制御するビデオソースと分配メカニズムおよびディスプレイデータチャンネル／シリアル通信インターフェース８を同時に即時制御することを介し、表示フレームを調整する制御コマンドを出力し、例えばビデオウォールなどの、表示装置アセンブリのインテリジェント表示装置の各表示内容およびフレームの複数のおよび／または全部の表示内容を表示可能である。
【００７１】
図１２は、本発明のビデオ制御システムを利用してビデオ制御方法を行う実施例の流れのステップを示し説明するもう１つの実施例の概略図である。図１３は、もう１つのマトリクス式２×２表示装置アセンブリの全体画面およびそのインテリジェント表示装置を示すもう１つの概略図である。本発明のビデオ制御システム１を利用して表示されるマトリクス式２×２表示装置アセンブリの全体画面１１０およびその４個インテリジェント表示装置１１１、１１２、１１３、１１４である。本発明のもう１つの好ましい実施例のビデオ制御方法は、下記のステップを含む。
【００７２】
先ず、ステップ４１において、ビデオ入力１’’からビデオ入力Ｘ”、例えば、ビデオ入力１”からビデオ入力８”を、個別の関連するビデオブリッジ装置５におけるビデオブリッジ５１に入力する。個別の関連するビデオブリッジ５１は、ビデオ入力をビデオ分配器６の要求に適合するビデオフォーマットに転換し、ビデオブリッジ装置５は、転換後のビデオ信号１からビデオ信号８を、ビデオ分配器６に出力する。ここで、１個以上のビデオブリッジ５１は、同じビデオブリッジ機能を有することも、１個以上のビデオブリッジ５１が各自それ自身の特定のビデオブリッジ機能を有することもでき、ステップ４２に進む。
【００７３】
ステップ４２において、ビデオ分配器６の複数のビデオ入力ポート（ｐｏｒｔ）を、ビデオブリッジ装置５からのビデオ信号１’’’からビデオ信号８’’’、および組込マイクロプロセッサモジュール７からのＹ個のビデオ出力ストリームのビデオ信号８’’’＋１からビデオ信号８’’’＋Ｙの受信に用いる。例えば、Ｙを４とした場合、全部でビデオ信号１’’’からビデオ信号１２’’’がビデオ分配器６にある。組込マイクロプロセッサモジュール７からの受信は、ビデオ信号９’’’からビデオ信号１２’’’である。ここで、ビデオ分配器６は、受信したビデオ信号１’’’から１２’’’の中から、ビデオ信号２’’’、１０’’’を選び出力する。ビデオ信号２’’’はビデオ出力ストリーム１’’’’および３’’’’に対応し、ビデオ信号１０’’’はビデオ出力ストリーム２’’’’および４’’’’に対応する。ビデオ分配器６は、マトリクス式の４個のビデオ出力ストリーム１’’’’から４’’’’を表示装置アセンブリ２に出力することにより、表示装置アセンブリの２×２全体画面１１０のインテリジェント表示装置１１１、１１２、１１３、１１４を駆動し、表示する。ここで、個別のビデオ出力ストリームは、ビデオ信号２’’’、１０’’’、２’’’および１０’’’に対応しているが、実際の状況では、出力ストリーム１’’’’から４’’’’は、それぞれ動的に調整し、任意のビデオ信号１’’から８’’に対応することができる。また、データチャンネル／シリアル通信インターフェース８は、ビデオ分配器６が出力するマトリクス式の４個のビデオ出力ストリーム１’’’’から４’’’’に、追加補助（ａｕｘｉｌｉａｒｙ）のディスプレイデータチャンネル１”“‘からディスプレイデータチャンネル４’’’’’を付随させるか、またはシリアル通信インターフェース信号を出力し、表示装置アセンブリ２の各インテリジェント表示装置２１にシリアル接続することができる。本実施例において、ディスプレイデータチャンネル１”“‘、２’’’’’は、上半分の画面表示制御コマンドをインテリジェント表示装置１１１、１１２に出し、ディスプレイデータチャンネル３’’’’’、４’’’’’は、下半分の画面表示制御コマンドをインテリジェント表示装置１１３、１１４に出すか、またはシリアル通信チャンネルがアドレス指示を介して同群の画面表示制御コマンドを各インテリジェント表示装置に転送する。
【００７４】
ビデオ制御方法の流れを行うときに、組込マイクロプロセッサモジュール７が全ビデオ制御処理プロセスを制御し、マイクロプロセッサ制御バス（ＭＰＵ  ｃｏｎｔｒｏｌ  Ｂｕｓ）を介してビデオ分配器６、ディスプレイデータチャンネル／シリアル通信インターフェース８および記憶装置９を制御する。組込マイクロプロセッサモジュール７は、ヒューマンインターフェース（ｈｕｍａｎ  ｉｎｔｅｒｆａｃｅ）入力を受信可能であり、これによって、ビデオ分配器６のソースとビデオ分配方式を動的に制御する。この実施例において、ビデオ出力ストリーム１’’’’から４’’’’は、任意のビデオ入力２’’、１０’’、２’’および１０’’から選択され、表示装置アセンブリ２に転送され、全体画面１００のインテリジェント表示装置１１１、１１２、１１３、１１４を形成する。これによって、ディスプレイデータチャンネル／シリアル通信インターフェース８を動的に制御し、各ディスプレイデータチャンネルまたはシリアル通信インターフェースを利用して、表示フレームを調整する制御コマンドを表示装置アセンブリ２の各インテリジェント表示装置２１に出力することにより、各インテリジェント表示装置の表示フレームをリアルタイム方式で調整する。組込マイクロプロセッサモジュール７のビデオ分配器６を即時制御するビデオソースと分配メカニズムおよびディスプレイデータチャンネル／シリアル通信インターフェース８を同時に即時制御することを介し、表示フレームを調整する制御コマンドを出力し、例えばビデオウォールなどの、表示装置アセンブリのインテリジェント表示装置の各表示内容およびフレームの複数のおよび／または全部の表示内容を表示可能である。
【００７５】
図１４は、本発明のビデオ制御システムを利用してビデオ制御方法を行うもう１つの好ましい実施例の流れのステップを示し説明するもう１つの実施例の概略図である。図１５は、もう１つのマトリクス式２×２表示装置アセンブリの全体画面およびそのインテリジェント表示装置を示すもう１つの概略図である。図１５は、本発明のビデオ制御システム１を利用して表示されるマトリクス式２×２表示装置アセンブリの全体画面１２０およびその４個のインテリジェント表示装置１２１、１２２、１２３、１２４である。本発明のもう１つの好ましい実施例のビデオ制御方法は、下記のステップを含む。
【００７６】
先ず、ステップ５１において、ビデオ入力１’’からビデオ入力Ｘ”、例えば、ビデオ入力１’’からビデオ入力８’’を、個別の関連するビデオブリッジ装置５におけるビデオブリッジ５１に入力する。個別の関連するビデオブリッジ５１は、ビデオ入力をビデオ分配器６の要求に適合するビデオフォーマットに転換し、ビデオブリッジ装置５は、転換後のビデオ信号１’’’からビデオ信号８’’’を、ビデオ分配器６に出力する。ここで、１個以上のビデオブリッジ５１は、同じビデオブリッジ機能を有することも、１個以上のビデオブリッジ５１が各自それ自身の特定のビデオブリッジ機能を有することもでき、ステップ５２に進む。
【００７７】
ステップ５２において、ビデオ分配器６の複数のビデオ入力ポート（ｐｏｒｔ）を、ビデオブリッジ装置５からのビデオ信号１’’’からビデオ信号８’’’および組込マイクロプロセッサモジュール７からのＹ個のビデオ出力ストリームを出力するビデオ信号８’’’＋１からビデオ信号８’’’＋Ｙの受信に用いる。例えば、Ｙを４とした場合、全部でビデオ信号１’’’からビデオ信号１２’’’がビデオ分配器６にある。組込マイクロプロセッサモジュール７からの受信は、ビデオ信号９’’’からビデオ信号１２’’’である。ここで、例えば、ビデオ分配器６は、受信したビデオ信号１’’’から１２’’’の中から、ビデオ信号９’’’のみを選び、ビデオ出力ストリーム１’’’’、２’’’’、３’’’’および４’’’’に出力する。ビデオ分配器６は、マトリクス式の４個のビデオ出力ストリーム１’’’’から４’’’’を、表示装置アセンブリ２に出力することにより、表示装置アセンブリの２×２全体画面１２０のインテリジェント表示装置１２１、１２２、１２３、１２４を駆動し、表示する。ここで、個別のビデオ出力ストリームは、ビデオ信号９’’’にすべて対応しているが、実際の状況では、出力ストリーム１’’’’から４’’’’は、それぞれ動的に調整し、任意のビデオ信号１’’’から８’’’に対応することができる。また、データチャンネル／シリアル通信インターフェース８は、ビデオ分配器６が出力するマトリクス式の４個のビデオ出力ストリーム１’’’’から４’’’’に、追加補助（ａｕｘｉｌｉａｒｙ）のディスプレイデータチャンネル１”“‘からディスプレイデータチャンネル４’’’’’を付随させるか、またはシリアル通信インターフェース信号を出力し、表示装置アセンブリ２の各インテリジェント表示装置２１にシリアル接続することができる。本実施例において、ディスプレイデータチャンネル１”“‘は、左上４分の１の画面表示制御コマンドをインテリジェント表示装置１２１に出し、ディスプレイデータチャンネル２’’’’’は、右上４分の１の画面表示制御コマンドをインテリジェント表示装置１２２に出し、ディスプレイデータチャンネル３’’’’’は、左下４分の１の画面表示制御コマンドをインテリジェント表示装置１２３に出し、ディスプレイデータチャンネル４’’’’’は、右下４分の１の画面表示制御コマンドをインテリジェント表示装置１２４に出すか、またはシリアル通信チャンネルがアドレス指示を介して同群の画面表示制御コマンドを各インテリジェント表示装置に転送する。
【００７８】
ビデオ制御方法の流れを行うときに、組込マイクロプロセッサモジュール７が全ビデオ制御処理プロセスを制御し、マイクロプロセッサ制御バス（ＭＰＵ  ｃｏｎｔｒｏｌ  Ｂｕｓ）を介してビデオ分配器６、ディスプレイデータチャンネル／シリアル通信インターフェース８および記憶装置９を制御する。組込マイクロプロセッサモジュール７は、ヒューマンインターフェース（ｈｕｍａｎ  ｉｎｔｅｒｆａｃｅ）入力を受信可能であり、これによって、ビデオ分配器６のソースとビデオ分配方式を動的に制御する。この実施例において、ビデオ出力ストリーム１’’’’から４’’’’は、任意のビデオ入力９’’から選択され、表示装置アセンブリ２に転送され、全体画面１２０のインテリジェント表示装置１２１、１２２、１２３、１２４を形成する。これによって、ディスプレイデータチャンネル／シリアル通信インターフェース８を動的に制御し、各ディスプレイデータチャンネルまたはシリアル通信インターフェースを利用して、表示フレームを調整する制御コマンドを表示装置アセンブリ２の各インテリジェント表示装置２１に出力することにより、各インテリジェント表示装置の表示フレームをリアルタイム方式で調整する。組込マイクロプロセッサモジュール７のビデオ分配器６を即時制御するビデオソースと分配メカニズムおよびディスプレイデータチャンネル／シリアル通信インターフェース８を同時に即時制御することを介し、表示フレームを調整する制御コマンドを出力し、例えばビデオウォールなどの、表示装置アセンブリのインテリジェント表示装置の各表示内容およびフレームの複数のおよび／または全部の表示内容を表示可能である。
【００７９】
以上の複数の好ましい実施例を総合すると、本発明のビデオ制御システム、ビデオシステム制御装置およびそのビデオ制御方法は、マルチメディア表示環境の表示装置アセンブリに応用し、本発明のビデオ制御システムのビデオシステム制御装置の組込制御のビデオブリッジ装置を利用し、ビデオ分配器のビデオ供給方式、および数個のディスプレイデータチャンネルＤＤＣとそれぞれ接続するか、またはシリアル通信インターフェースＳＣＩとシリアル接続する画面表示領域は、選び、調整し制御する数個インテリジェント表示装置を提供することができる。多元なソースの配列ビデオコンテントを個別に分割および／または全体的に統合し、例えば、マトリクス式アセンブリの数個の表示装置からなるビデオウォールの個別の表示装置の表示画面など、表示装置アセンブリの個別の表示装置の表示画面に柔軟に表示することができる。
【００８０】
そのため、本発明のビデオ制御システム、ビデオシステム制御装置およびそのビデオ制御方法は、少なくとも下記の長所を有する。
１、本発明は、例えばビデオウォールなどの表示装置アセンブリにおいて、１個以上のビデオ入力信号源を処理可能であり、非常に実用に適している。
２、本発明は、ビデオコンテント処理時に、ビデオブリッジおよびビデオ分配方式を採用し、マトリクス式を介して、ビデオコンテントを表示装置アセンブリ画面に表示し、従来の公知のビデオコンテント分割で達成できない処理能力および表示能力を達成することができ、さらに実用に適している。
【００８１】
以上の内容は、本発明の好ましい実施例でしかなく、本発明に対していかなる形式上の制限をもたらすものではない。本発明は、好ましい実施例により前記のとおり開示されているが、本発明を限定するためのものではない。本専門の当業者は、本発明の技術手段を逸脱しない範囲内で、前記の開示した方法および技術内容を利用して、いくつかの変更または修正を行い、同等の変化の同等の実施例を行うことができるが、いずれも本発明の技術手段の内容を逸脱しておらず、本発明の技術について実質的に前記実施例に対して行ったいかなる簡単な修正、同等の変更および修正は、いずれも本発明の技術手段の範囲内に属す。
【符号の説明】
【００８２】
１: ビデオ制御システム
２: 表示装置アセンブリ
３: ビデオシステム制御装置
４: 表示装置アセンブリが対応する全体画面
５: ビデオブリッジ装置
６: ビデオ分配器
７: 組込マイクロプロセッサモジュール
８: ディスプレイデータチャンネル／シリアル通信インターフェース
９: 記憶装置
１００:表示装置アセンブリが対応する全体画面例１
１０１、１０２、１０３、１０４:インテリジェント表示装置例
１１０:表示装置アセンブリが対応する全体画面例２
１１、１２、３１、３２:ステップ
１１１、１１２:インテリジェント表示装置例
１１３、１１４:インテリジェント表示装置例
１２０:表示装置アセンブリが対応する全体画面例３
１２１、１２２:インテリジェント表示装置例
１２３、１２４:インテリジェント表示装置例
２１:インテリジェント表示装置
４１:インテリジェント表示装置
４１、４２、５１、５２:ステップ
５１:ビデオブリッジ
【図１】
2009271535.tif 000003
【図２】
2009271535.tif 000004
【図３】
2009271535.tif 000005
【図４】
2009271535.tif 000006
【図５】
2009271535.tif 000007
【図６】
2009271535.tif 000008
【図７】
2009271535.tif 000009
【図８】
2009271535.tif 000010
【図９】
2009271535.tif 000011
【図１０】
2009271535.tif 000012
【図１１】
2009271535.tif 000013
【図１２】
2009271535.tif 000014
【図１３】
2009271535.tif 000015
【図１４】
2009271535.tif 000016
【図１５】
2009271535.tif 000017